(57)【要約】【課題】ナットをボルトのねじ部にナットを回転させることなく抜き差しにより行う。【解決手段】簡易式ナットＮ１は、筒状の部材１０からなり、テーパ形状部１３及び拡張部１４を有する外筒１と、筒状の部材２０からなり、テーパ部２４、ロック孔２５、及びロック部材２８を有する内筒２と、外筒１、内筒２及びばね部材３からなるロック部材ロック機構４とを備え、外筒１を内筒２の一端側に押圧してスライドさせながら、簡易式ナットＮをボルトＢのねじ部ｂに取り付け又はボルトＢのねじ部ｂから取り外すようになっている。【選択図】図２
2019183853.tif 000002
【特許請求の範囲】
【請求項１】
一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にナットに代えて用いる簡易式ナットであって、
両端に開口を有する筒状の部材からなり、内周面の一端側に一端の開口に連続して全周又は全周の一部の断面形状を他端方向に漸次拡大して形成されるテーパ形状部と、内周面の他端側の全周又は全周の一部に前記テーパ形状部の拡大された端部に連続して形成される拡張部とを有する外筒と、
両端に開口を有し、前記両端の開口間にボルトのねじ部を挿通可能な軸挿通部を有する筒状の部材からなり、外周面の一端側に全周又は全周の一部を他端方向に漸次拡大して形成され、前記外筒のテーパ形状部に嵌合可能なテーパ部と、前記テーパ部の外周面と内周面との間に貫通して形成され、前記筒状の部材の軸方向に対して直交する方向に延びるロック孔、及び前記ロック孔に嵌合され、一端にボルトのねじ部に係合可能な係合部を形成され、他端が前記テーパ部の外周面と同じ高さに表出されるロック部材とを有し、前記外筒の前記両端の開口間に挿通される内筒と、
前記外筒内で前記外筒の他端と前記内筒のテーパ形状部との間に介設され、常態として、前記内筒を前記外筒の一端方向に押圧して、前記内筒の一端を前記外筒の一端の開口から突出し、前記内筒のテーパ部を前記外筒のテーパ形状部に嵌合させて前記テーパ形状部で前記ロック孔内の前記ロック部材を押えるばね部材と、
前記外筒と前記内筒との間に介装され、前記外筒を前記内筒の外周面上で前記内筒の一端側に向けて押圧しスライドさせることにより、前記内筒の一端が前記外筒の一端の開口内に没入し、前記内筒のテーパ部が前記外筒のテーパ形状部の拡大された端部側に相対移動されて、前記外筒のテーパ形状部による前記ロック部材の押えを解除し、前記外筒の押圧を解除することにより、前記外筒が前記ばね部材により前記内筒の外周面上を元の位置に弾性復帰されて、前記外筒のテーパ形状部で前記ロック部材を押えるロック部材ロック機構と、
を備え、
ボルトのねじ部に締結する際は、前記外筒を摘んで持ち、前記内筒の一端から前記軸挿通部にボルトのねじ部を挿入し、前記外筒を前記内筒の外周面上で前記内筒の一端側に押圧してスライドさせながら、ボルトのねじ部上で前記外筒とともに前記内筒を送り、ボルトのねじ部上の任意の締結位置で、前記外筒の押圧を解除することにより、ボルトのねじ部上で前記内筒をロックし、
ボルトのねじ部から取り外す際は、前記外筒を摘んで持ち、前記外筒を前記内筒の外周面上で前記内筒の一端側に押すことにより、ボルトのねじ部上の前記内筒のロックを解除し、この状態を保持した状態で、ボルトのねじ部から前記外筒とともに前記内筒を引き抜く、
ことを特徴とする簡易式ナット。
【請求項２】
外筒の他端の開口から突出される内筒の他端に外側に向けて張り出される摘みを有する請求項１に記載の簡易式ナット。
【請求項３】
ロック部材は一端に係合部としてボルトのねじ部に係合可能な係止部を有し、他端に外筒のテーパ形状部の受け部を有する小プレートからなり、ロック孔が前記小プレートからなるロック部材を嵌合可能に、かつ前記小プレート一端の前記係止部が内筒の内周面から突出可能に、前記小プレート他端の前記受け部が前記内筒のテーパ部の外周面に表出可能に形成されて、前記ロック孔に嵌合装着される請求項１又は２に記載の簡易式ナット。
【請求項４】
ロック部材はボルトのねじ部に係合可能な小ボールからなり、ロック孔が前記小ボールからなるロック部材を嵌合可能に、かつ前記小ボールの球面の一部が一端の係合部として内筒の内周面から突出可能に、その反対側の球面の一部が他端として前記内筒のテーパ部の外周面に表出可能に形成されて、前記ロック孔に嵌合装着される請求項１又は２に記載の簡易式ナット。
【請求項５】
ロック部材は一端に係合部としてボルトのねじ部に係合可能な突起を有し、他端に外筒のテーパ形状部の受け部を有する小ピンからなり、ロック孔が前記小ピンからなるロック部材を嵌合可能に、かつ前記小ピン一端の前記突起が内筒の内周面から突出可能に、前記小ピン他端の前記受け部が前記内筒のテーパ部の外周面に表出可能に形成されて、前記ロック孔に嵌合装着される請求項１又は２に記載の簡易式ナット。
【請求項６】
一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にボルト、ナットに代えて用いる簡易式ファスナーであって、
請求項１乃至４のいずれかに記載の簡易式ナットと、
内筒の軸挿通部に挿通可能にピン状に形成され、その外周面にロック部材の係合部に係合可能な被係合部を有する取付ピンと、
からなり、
前記取付ピンに前記簡易式ナットを取り付ける際は、前記外筒を摘んで持ち、前記内筒の一端から前記軸挿通部に前記取付ピンを挿入し、前記外筒を前記内筒の外周面上で前記内筒の一端側に押圧してスライドさせながら、前記取付ピン上で前記外筒とともに前記内筒を送り、前記取付ピンの前記被係合部で、前記外筒の押圧を解除することにより、前記取付ピン上で前記内筒をロックし、
前記取付ピンから前記簡易式ナットを取り外す際は、前記外筒を摘んで持ち、前記外筒を前記内筒の外周面上で前記内筒の一端側に押すことにより、前記取付ピン上の前記内筒のロックを解除し、この状態を保持した状態で、前記取付ピンから前記外筒とともに前記内筒を引き抜く、
ことを特徴とする簡易式ナットを用いた簡易式ファスナー。
【発明の詳細な説明】
【技術分野】
【０００１】
本発明は簡易式ナット、及びこれを用いた簡易式ファスナーに関し、特に、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にナットに代えて用いる簡易式ナット、及びボルト、ナットに代えて用いる簡易式ファスナーに関する。
【背景技術】
【０００２】
一般に、２部材間の固定にボルト、ナットが使用される。ボルト、ナットで、２部材間を固定する場合、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結する。
ところで、ナットは、ボルトのねじ部の先端から螺合して取り付けるため、例えばボルトのねじ部が長いとナットを所定の締結位置まで移動させるのにナットを何回も回さなければならない。ナットの取り付け個数が多い場合、ナットをボルトの所定位置まで締め付けたり、締め付けられたナットをボルトから取り外したりするのに、非常に手間がかかる。時として、ナットを締め忘れることもある。
【０００３】
そこで、従来より、ボルトへの取り付け、取り外しを容易にしたナットが特許文献１により提案されている。
この文献１のナットは、ナット本体内にその軸方向に対してテーパ孔を貫通的に形成し、テーパ孔内に内周面に雌ねじを刻設したナットセグメントを周方向に分割して設けるとともに軸方向に摺動自在に設け、かつ各ナットセグメントを常時スプリングによりテーパ孔の小径側に付勢し、さらにナット本体にはテーパ孔の中心部を軸方向に移動する筒体と、ナット本体の外面を軸方向に摺動する操作環とを一体化してなる操作部材を設け、筒体にはこれをテーパ孔の大径側へ移動させることによりナットセグメントをテーパ孔の大径側へ押動させる係合部を形成したものである。
このようにしてナットをボルトのねじ部に取り付けたりねじ部から取り外したりする作業をナットを回転させることなく抜き差しにより行うことができる。
【先行技術文献】
【特許文献】
【０００４】
【特許文献１】実開平２−４０１１３号公報
【発明の概要】
【発明が解決しようとする課題】
【０００５】
しかしながら、上記従来のナットでは、ナットをボルトから取り外す場合に、ナットの各ナットセグメントがボルトのねじ部に係合（螺合）している状態から、ナットの操作環を引張ることにより筒体の係合部で各ナットセグメントをナットのテーパ孔の小径部から大径部に移動させるため、操作環の引き始めに強い力が必要で操作性が良好とは言い難く、また、ナットに係合されるボルトのねじ部が摩耗するおそれがある、という問題がある。
【０００６】
本発明は、このような従来の問題を解決するもので、ナットをボルトのねじ部に取り付けたりねじ部から取り外したりする作業を、ナットとボルトのねじ部との係合を確実に解除したうえで、ナットを回転させることなく抜き差しで行え、操作性の向上を図り、ボルトのねじ部の摩耗を防止することのできる簡易式ナット、及びこれを用いた簡易式ファスナーを提供すること、を目的とする。
【課題を解決するための手段】
【０００７】
上記目的を達成するために、本発明は、
一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にナットに代えて用いる簡易式ナットであって、
両端に開口を有する筒状の部材からなり、内周面の一端側に一端の開口に連続して全周又は全周の一部の断面形状を他端方向に漸次拡大して形成されるテーパ形状部と、内周面の他端側の全周又は全周の一部に前記テーパ形状部の拡大された端部に連続して形成される拡張部とを有する外筒と、
両端に開口を有し、前記両端の開口間にボルトのねじ部を挿通可能な軸挿通部を有する筒状の部材からなり、外周面の一端側に全周又は全周の一部を他端方向に漸次拡大して形成され、前記外筒のテーパ形状部に嵌合可能なテーパ部と、前記テーパ部の外周面と内周面との間に貫通して形成され、前記筒状の部材の軸方向に対して直交する方向に延びるロック孔、及び前記ロック孔に嵌合され、一端にボルトのねじ部に係合可能な係合部を形成され、他端が前記テーパ部の外周面と同じ高さに表出されるロック部材とを有し、前記外筒の前記両端の開口間に挿通される内筒と、
前記外筒内で前記外筒の他端と前記内筒のテーパ形状部との間に介設され、常態として、前記内筒を前記外筒の一端方向に押圧して、前記内筒の一端を前記外筒の一端の開口から突出し、前記内筒のテーパ部を前記外筒のテーパ形状部に嵌合させて前記テーパ形状部で前記ロック孔内の前記ロック部材を押えるばね部材と、
前記外筒と前記内筒との間に介装され、前記外筒を前記内筒の外周面上で前記内筒の一端側に向けて押圧しスライドさせることにより、前記内筒の一端が前記外筒の一端の開口内に没入し、前記内筒のテーパ部が前記外筒のテーパ形状部の拡大された端部側に相対移動されて、前記外筒のテーパ形状部による前記ロック部材の押えを解除し、前記外筒の押圧を解除することにより、前記外筒が前記ばね部材により前記内筒の外周面上を元の位置に弾性復帰されて、前記外筒のテーパ形状部で前記ロック部材を押えるロック部材ロック機構と、
を備え、
ボルトのねじ部に締結する際は、前記外筒を摘んで持ち、前記内筒の一端から前記軸挿通部にボルトのねじ部を挿入し、前記外筒を前記内筒の外周面上で前記内筒の一端側に押圧してスライドさせながら、ボルトのねじ部上で前記外筒とともに前記内筒を送り、ボルトのねじ部上の任意の締結位置で、前記外筒の押圧を解除することにより、ボルトのねじ部上で前記内筒をロックし、
ボルトのねじ部から取り外す際は、前記外筒を摘んで持ち、前記外筒を前記内筒の外周面上で前記内筒の一端側に押すことにより、ボルトのねじ部上の前記内筒のロックを解除し、この状態を保持した状態で、ボルトのねじ部から前記外筒とともに前記内筒を引き抜く、
ことを要旨とする。
また、この簡易式ナットは各部が次のように構成されることが好ましい。
（１）外筒の他端の開口から突出される内筒の他端に外側に向けて張り出される摘みを有する。
（２）ロック部材は一端に係合部としてボルトのねじ部に係合可能な係止部を有し、他端に外筒のテーパ形状部の受け部を有する小プレートからなり、ロック孔が前記小プレートからなるロック部材を嵌合可能に、かつ前記小プレート一端の前記係止部が内筒の内周面から突出可能に、前記小プレート他端の前記受け部が前記内筒のテーパ部の外周面に表出可能に形成されて、前記ロック孔に嵌合装着される。
（３）ロック部材はボルトのねじ部に係合可能な小ボールからなり、ロック孔が前記小ボールからなるロック部材を嵌合可能に、かつ前記小ボールの球面の一部が一端の係合部として内筒の内周面から突出可能に、その反対側の球面の一部が他端として前記内筒のテーパ部の外周面に表出可能に形成されて、前記ロック孔に嵌合装着される。
（４）ロック部材は一端に係合部としてボルトのねじ部に係合可能な突起を有し、他端に外筒のテーパ形状部の受け部を有する小ピンからなり、ロック孔が前記小ピンからなるロック部材を嵌合可能に、かつ前記小ピン一端の前記突起が内筒の内周面から突出可能に、前記小ピン他端の前記受け部が前記内筒のテーパ部の外周面に表出可能に形成されて、前記ロック孔に嵌合装着される。
【０００８】
また、上記目的を達成するために、本発明は、
一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にボルト、ナットに代えて用いる簡易式ファスナーであって、
上記の簡易式ナットと、
内筒の軸挿通部に挿通可能にピン状に形成され、その外周面にロック部材の係合部に係合可能な被係合部を有する取付ピンと、
からなり、
前記取付ピンに前記簡易式ナットを取り付ける際は、前記外筒を摘んで持ち、前記内筒の一端から前記軸挿通部に前記取付ピンを挿入し、前記外筒を前記内筒の外周面上で前記内筒の一端側に押圧してスライドさせながら、前記取付ピン上で前記外筒とともに前記内筒を送り、前記取付ピンの前記被係合部で、前記外筒の押圧を解除することにより、前記取付ピン上で前記内筒をロックし、
前記取付ピンから前記簡易式ナットを取り外す際は、前記外筒を摘んで持ち、前記外筒を前記内筒の外周面上で前記内筒の一端側に押すことにより、前記取付ピン上の前記内筒のロックを解除し、この状態を保持した状態で、前記取付ピンから前記外筒とともに前記内筒を引き抜く、
ことを要旨とする。
【発明の効果】
【０００９】
（１）本発明の簡易式ナットによれば、上記の構成により、簡易式ナットをボルトのねじ部に締結する際は、外筒を摘んで持ち、内筒の一端から軸挿通部にボルトのねじ部を挿入し、外筒を内筒の外周面上で内筒の一端側に押圧してスライドさせながら、ボルトのねじ部上で外筒とともに内筒を送り、ボルトのねじ部上の任意の締結位置で、外筒の押圧を解除することにより、ボルトのねじ部上で内筒をロックし、ボルトのねじ部から取り外す際は、外筒を摘んで持ち、外筒を内筒の外周面上で内筒の一端側に押すことにより、ボルトのねじ部上の内筒のロックを解除し、この状態を保持した状態で、ボルトのねじ部から外筒とともに内筒を引き抜くようにしたので、簡易式ナットをボルトのねじ部に取り付けたりねじ部から取り外したりする作業を、簡易式ナットとボルトのねじ部との係合を確実に解除したうえで、簡易式ナットを回転させることなく抜き差しにより行え、操作性の向上を図ることができ、ボルトのねじ部の摩耗を防止することができる、という格別な効果を奏する。
（２）本発明の簡易式ファスナーによれば、上記の構成により、取付ピンに簡易式ナットを取り付ける際は、外筒を摘んで持ち、内筒の一端から軸挿通部に取付ピンを挿入し、外筒を内筒の外周面上で内筒の一端側に押圧してスライドさせながら、取付ピン上で外筒とともに内筒を送り、取付ピンの被係合部で、外筒の押圧を解除することにより、取付ピン上で内筒をロックし、取付ピンから簡易式ナットを取り外す際は、外筒を摘んで持ち、外筒を内筒の外周面上で内筒の一端側に押すことにより、取付ピン上の内筒のロックを解除し、この状態を保持した状態で、取付ピンから外筒とともに内筒を引き抜くようにしたので、簡易式ナットを取付ピンに取り付けたり取り外したりする作業を、簡易式ナットと取付ピンとの係合を確実に解除したうえで、簡易式ナットを回転させることなく抜き差しにより行え、操作性の向上を図ることができる、という格別な効果を奏する。
【図面の簡単な説明】
【００１０】
【図１】本発明の第１の実施の形態における簡易式ナットの外部構成を示す図（（ａ）は正面図（ｂ）は側面図（ｃ）は背面図）
【図２】同簡易式ナットの内部構成を示す図（（ａ）は同簡易式ナットのロック状態での側面断面図（ｂ）は同簡易式ナットのロック解除状態での側面断面図）
【図３】同簡易式ナットとボルトによる２部材間の取付構造を示す図（側面断面図）
【図４】本発明の第２の実施の形態における簡易式ナットの外部構成を示す図（（ａ）は正面図（ｂ）は側面図（ｃ）は背面図）
【図５】同簡易式ナットの内部構成を示す図（側面断面図）
【図６】同簡易式ナットとボルトによる２部材間の取付構造を示す図（側面断面図）
【図７】本発明の一実施の形態における簡易式ファスナーの内部構成を示す図（側面断面図）
【発明を実施するための形態】
【００１１】
次に、この発明の実施の形態について図を用いて説明する。
図１、図２に簡易式ナットの第１の実施の形態を示している。
図１、図２に示すように、この簡易式ナットＮ１（以下、単にナットＮ１という場合がある。）は、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にナットに代えて用いるもので、外筒１と、外筒１に挿通される内筒２と、外筒１内で外筒１と内筒２との間に介設されるばね部材３と、外筒１と内筒２との間に介装されるロック部材ロック機構４と、を備えて構成される。
【００１２】
外筒１は、両端に開口１１、１２を有する筒状の部材１０からなり、内周面の一端側に一端の開口１１に連続して全周又は全周の一部の断面形状を一端から他端方向に漸次拡大して形成されるテーパ形状部１３と、内周面の他端側の全周又は全周の一部にテーパ形状部１３の拡大された端部１３Ｅに連続して形成される拡張部１４とを有する。
【００１３】
この外筒１の場合、全体が略円筒状に形成され、内周面の一端側に一端の開口１１に連続して全周の一部の断面形状を一端から他端方向に漸次拡大して形成される。この場合、外筒１の内周面の一端側で相互に対向する位置（全周の一部）にそれぞれ、内周面と外周面との間を一端から他端方向に漸次肉厚に形成されてテーパ状の凸状部１３１を有し、これらの凸状部１３１の内周面側に一端から他端方向に漸次高さ（又は深さ）を拡大された溝１３２が形成されて、これら溝の底面となる面がテーパ形状部１３となっている。なお、この場合、凸状部１３１それ自体をテーパ状に形成したが、この凸状部１３１は外筒１の軸心と平行なストレート状のものであってもよい。
このように外筒１の内周面の一端側に一端の開口１１に連続して全周の一部の断面形状を一端から他端方向に漸次拡大して形成されたことで、拡張部１４は外筒１の内周面の他端側の全周の一部にテーパ形状部１３の拡大された端部１３Ｅに連続して形成される。この場合、外筒１の内周面の他端側でテーパ状の凸状部１３１に連続する相互に対向する位置にそれぞれ、内周面と外周面との間を一定の肉厚に形成されてテーパ状の凸状部１３１に連続するストレート状の凸状部１４１を有し、これらの凸状部１４１の内周面側に一端側の溝１３２の高さ（又は深さ）を拡大された端部に連続して同じ高さ（又は深さ）、幅の溝１４２が形成されて、これら溝１４２の底面となる面が拡張部１４になっている。
また、この外筒１の場合、一端は開口され、他端は開口されてこの他端の開口１２内に中央に開口１５０を有する閉塞部材１５が嵌め込まれ、外筒１の外周面と閉塞部材１５との間にスプリングピン１６が挿着されて固定され、他端はこの閉塞部材１５の開口１５０により開口される。
【００１４】
内筒２は、両端に開口２１、２２を有し、両端の開口２１、２２間にボルトのねじ部を挿通可能な軸挿通部２３を有する筒状の部材２０からなり、外周面の一端側に全周又は全周の一部を一端から他端方向に漸次拡大して形成され、外筒１のテーパ形状部１３に嵌合可能なテーパ部２４と、テーパ部２４の外周面と内周面との間に貫通して形成され、筒状の部材２０の軸方向に対して直交する方向に延びるロック孔２５、及びロック孔２５に嵌合され、一端にボルトのねじ部に係合可能な係合部２６を形成され、他端がテーパ部２４の外周面と同じ高さに表出されるロック部材２８とを有し、外筒１の両端の開口１１、１２間に挿通され、内筒２の両端が外筒１の両端の開口１１、１２から外方に突出される。
また、この内筒２においては、外筒１の他端の開口１２から突出される内筒２の他端に外側に向けて張り出される摘み２９を有し、ロック部材２７は一端に係合部２６としてボルトのねじ部に係合可能な係止部（以下、係止部２６という。）を有し、他端に外筒１のテーパ形状部１３の受け部２７を有する小プレートからなり、ロック孔２５が小プレートからなるロック部材２８を嵌合可能に、かつ小プレート一端の係止部２６が内筒２の内周面から突出可能に、小プレート他端の受け部２７が内筒２のテーパ部２４の外周面に表出可能に形成されて、ロック孔２５に嵌合装着される。
【００１５】
この内筒２の場合、全体が略円筒状に形成され、外周面の一端側に全周の一部の断面形状が一端から他端方向に漸次拡大して形成される。この場合、内筒２の外周面の一端で相互に対向する位置にそれぞれ、外筒１の内周面の一端側の各溝１３２の一端に嵌合可能に、かつ各溝１３２の一端から外方に突出可能に、内周面と外周面との間を一端から他端方向に肉厚に形成されてストレート状の凸状部２４１を有し、これらの凸状部２４１に連続して内筒２の外周面の一端側で相互に対向する位置（全周の一部）にそれぞれ、外筒１の一端側の各溝１３２に嵌合可能に、内周面と外周面との間を一端から他端方向に漸次拡大してテーパ状の凸状部２４２が形成され、これら凸状部２４２の外周面がテーパ部２４となっている。各テーパ部２４には幅方向中央にロック孔２５が一つテーパ部２４の外周面と内周面との間に貫通して形成される。この場合、ロック孔２５はそれぞれ、後述するロック部材２８の形状に合わせて、内筒２の軸方向に長い幅狭の平面視矩形状に形成され、また、テーパ部２４の外周面側の端部が軸方向にさらに少し長く形成されてロック部材２８の受け溝２５１になっている。また、この場合、各ロック孔２５は、一方のロック孔２５に対して他方のロック孔２５が取付先のボルトのねじ部に合わせて半ピッチだけ内筒２の軸方向に位置をずらして形成される。
そして、これらのロック孔２５に装着される各ロック部材２８は共通で、それぞれ、厚さの薄い小プレートからなり、一端側が横に長い略矩形状を呈し、一端の係止部２６はボルトのねじ部に係合可能に鋸歯状（ギザギザ）に形成され、一端側と他端側との間の中間部に横方向に突出される張り出し部２８１を有し、他端の縁部は内筒２のテーパ部２４の傾斜と同じ角度に斜めに形成されて外筒１のテーパ形状部１３の受け部２７になっている。また、この場合、各ロック部材２８の係止部２６、つまり、鋸歯状（ギザギザ）の各山は各ロック部材２８の一端縁部において一端縁部の長さ方向に対して直角方向に延びるように形成される。このようにして各ロック部材２８は各ロック孔２５に、各ロック部材２８の張り出し部２８１が各ロック孔２５の受け溝２５１に支持されて、嵌合装着される。各ロック部材２８は各ロック孔２５に半ピッチずらして配置されること、各ロック部材２８の係止部２６の鋸歯状（ギザギザ）の各山が各ロック部材２８の一端縁部においてこの端縁部の長さ方向に対して直角方向に向けて形成されることで、偏心構造を取っている。
この内筒２の他端は外筒１の他端の開口１２から突出され、この他端に外側に向けて張り出される摘み２９を有する。この場合、摘み２９は内筒２の他端に一体に、外筒１の拡張部１４の外径よりも少し小さい円板状に形成される。
【００１６】
ばね部材３は、外筒１内で外筒１の他端と内筒２のテーパ部２４との間に介設され、常態として、内筒２を外筒１の一端方向に押圧して、内筒２の一端を外筒１の一端の開口１１から突出し、内筒２のテーパ部２４を外筒１のテーパ形状部１３に嵌合させてテーパ形状部１３でロック孔２５内のロック部材２８を押える。
【００１７】
この場合、ばね部材３は内筒２の他端側に巻装可能なコイルスプリング（以下、コイルスプリング３という。）で、コイルスプリング３が内筒２の他端側に巻き付けられて、一端が内筒２のテーパ部２４の他端面に係止され、他端が外筒１他端の閉塞部材１５の内面（開口１５０の周囲）に係止されて、外筒１内で内筒２のテーパ部２４の他端面と外筒１他端の閉塞部材１５との間に圧縮して配置される。
このようにしてコイルスプリング３は常態として、内筒２を外筒１の一端方向に押圧して、内筒２のストレート状の凸状部２４１を有する一端を外筒１の一端の開口１１から突出し、内筒２の各テーパ部２４を外筒１の各テーパ形状部１３に圧接嵌合させて外筒１の各テーパ形状部１３で各ロック孔２５内の各ロック部材２８を押え保持する。
【００１８】
ロック部材ロック機構４は、外筒１、内筒２及びコイルスプリング３により構成されて、外筒１と内筒２との間に介装され、外筒１を内筒２の外周面上で内筒２の一端側に向けて押圧しスライドさせることにより、内筒２の一端が外筒１の一端の開口１１内に没入し、内筒２のテーパ部２４が外筒１のテーパ形状部１３の拡大された端部１３Ｅ側に相対移動されて、外筒１のテーパ形状部１３によるロック部材２５の押えを解除し、外筒１の押圧を解除することにより、外筒１がコイルスプリング３により内筒２の外周面上を元の位置に弾性復帰されて、外筒１のテーパ形状部１３でロック部材２８を押える構造になっている。
【００１９】
簡易式ナットＮ１はかかる構成からなり、このナットＮ１をボルトのねじ部に締結する際は、外筒１を摘んで持ち、内筒２の一端から軸挿通部２３にボルトのねじ部を挿入し、外筒１を内筒２の外周面上で内筒２の一端側に押圧してスライドさせながら、ボルトのねじ部上で外筒１とともに内筒２を送り、ボルトのねじ部上の任意の締結位置で、外筒１の押圧を解除することにより、ボルトのねじ部上で内筒２をロックし、このナットＮ１をボルトのねじ部から取り外す際は、外筒１を摘んで持ち、外筒１を内筒２の外周面上で内筒１の一端側に押すことにより、ボルトのねじ部上の内筒２のロックを解除し、この状態を保持した状態で、ボルトのねじ部から外筒１とともに内筒２を引き抜くようになっている。
【００２０】
図３に一方の部材に突設された被締め込み側のボルトを他方の部材に穿設されたボルト挿通孔に通し、当該ボルト挿通孔に通された被締め込み側のボルトに簡易式ナットを締結して、一方の部材に他方の部材を取り付けるボルト、簡易式ナットによる２部材間の取付構造を例示している。
図３において、一方の部材Ａ１から突設され、他方の部材Ａ２のボルト挿通孔０に通された被締め込み側のボルトＢに簡易式ナットＮ１を締結する場合、図３（１）に示すように、まず、簡易式ナットＮ１を外筒１を摘んで持ち、内筒２の一端から軸挿通部２３にボルトＢのねじ部ｂを挿入する。そして、図３（２）を参照すると、外筒１を内筒２の外側で（コイルスプリング３の付勢力に抗して）内筒２の一端側に押圧してスライドさせながら、この簡易式ナットＮ１を２部材Ａ１、Ａ２に向けて押し込むと、これと同時に、内筒２の一端が外筒１の一端の開口１１内に没入し、内筒２の各テーパ部２４が外筒１の各テーパ形状部１３の一端から他端へ、つまり、拡大された端部１３Ｅ側に相対移動されて、外筒１の各テーパ形状部１３による各ロック部材２８の押えが解除されることにより、各ロック孔２５の各ロック部材２８のロックが解除され、内筒２の軸挿通部２３に挿入されたボルトＢのねじ部ｂは、各ロック部材２８を各ロック孔２５に押し戻しながら（つまり、各ロック孔２５の各ロック部材２８はボルトＢの各ねじ山に押される毎に、各ロック部材２８一端の係止部２６は、鋸歯状の山がボルトＢの各ねじ山の斜面に沿って各ねじ山に乗り上げて、各ロック孔２５内に引込み、他端は受け部２７が内筒２の各ロック孔２５から内筒２のテーパ部２４の外周面上に突出して、各ロック孔２５の内周面側、外周面側で出没しながら）、内筒２の軸挿通部２３の奥まで円滑に挿通される。そして、このナットＮ１をボルトＢのねじ部ｂの任意の締結位置まで送ったところで、外筒１の押圧を解除すると、これと同時に、外筒１がコイルスプリング３により内筒２の外周面上を元の位置に弾性復帰されて、外筒１の各テーパ形状部１３で各ロック孔２５の各ロック部材２８が押えロックされる。かくして、簡易式ナットＮ１はボルトＢのねじ部ｂの任意の締結位置でロックされる。なお、この場合、各ロック孔２５の各ロック部材２８は相互に半ピッチずれており、各ロック部材２８一端の係止部２６、すなわち、各ロック部材２８の一端縁部のギザギサの各山が各ロック部材２８の一端縁部においてこの端縁部の長さ方向に対して直角方向に向けられているので、各ロック部材２８のギザギサの各山がボルトＢのねじ部ｂにきつく食い込み、ナットＮ１はボルトＢのねじ部ｂ上に確実に固定される。このナットＮ１の場合、ナットＮ１を引張れば引張るほど、各ロック部材２８のギザギサの各山がボルトＢのねじ部ｂに食い付くので、ナットＮ１はボルトＢのねじ部ｂ上に高い強度でロックされる。
また反対に、被締め込み側のボルトＢに締結された簡易式ナットＮ１を取り外す場合は、図３（２）を参照すると、まず、簡易式ナットＮ１を外筒１を摘んで持ち、外筒１を内筒２の外側で（コイルスプリング３の付勢力に抗して）内筒２の一端側に押圧してスライドさせると、これと同時に、内筒２の一端が外筒１の一端の開口１１内に没入し、内筒２の各テーパ部２４が外筒１の各テーパ形状部１３の一端から他端へ、つまり、拡大された端部１３Ｅ側に相対移動されて、外筒１の各テーパ形状部１３による各ロック部材２８の押えが解除されることにより、各ロック孔２５の各ロック部材２８のロックが解除される。そして、この状態の外筒１を保持して、この場合、内筒２の一端側に押した外筒１と内筒２の他端の摘み２９を合せて摘んで、簡易式ナットＮ１をボルトＢのねじ部ｂから引き抜けばよい。このようにナットＮ１を取り外すときは、外筒１を押しスライドさせる、つまり、このワンアクションを入れるようにしたことで、ナットＮ１の脱落事故を防止することができる。
なお、被締め込み側のボルトＢに簡易式ナットＮ１を取り付ける場合でも、このナットＮ１を取り外す場合と同様に、あらかじめ外筒１を内筒２の外側で内筒２の一端側に押圧してスライドさせ、各ロック孔２５の各ロック部材２８のロックを解除して、これを保持した状態から、すなわち、内筒２の一端側に押した外筒１と内筒２の他端の摘み２９を合せて摘んだ状態にして、内筒２の軸挿通部２３にボルトＢのねじ部ｂを差し通すようにしてもよい。
【００２１】
また、このナットＮ１は、内筒２の他端（開口２２）から軸挿通部２３にボルトＢのねじ部ｂを挿入することもできる。この場合も、ナットＮ１を取り外す場合と同様に、あらかじめ外筒１を内筒２の外側で内筒１の一端側に押圧してスライドさせ、各ロック孔２５の各ロック部材２８のロックを解除して、これを保持した状態から、内筒２の軸挿通部２３に他端からボルトＢのねじ部ｂを差し通せばよい。
【００２２】
以上説明したように、この簡易式ナットＮ１によれば、このナットＮ１をボルトのねじ部に締結する際は、外筒１を摘んで持ち、内筒２の一端から軸挿通部２３にボルトのねじ部を挿入し、外筒１を内筒２の外周面上で内筒２の一端側に押圧してスライドさせながら、ボルトのねじ部上で外筒１とともに内筒２を送り、ボルトのねじ部上の任意の締結位置で、外筒１の押圧を解除することにより、ボルトのねじ部上で内筒２をロックし、このナットＮ１をボルトのねじ部から取り外す際は、外筒１を摘んで持ち、外筒１を内筒２の外周面上で内筒２の一端側に押すことにより、ボルトのねじ部上の内筒２のロックを解除し、この状態を保持した状態で、ボルトのねじ部から外筒１とともに内筒２を引き抜くようにしたので、簡易式ナットＮ１をボルトのねじ部に取り付けたりねじ部から取り外したりする作業を、簡易式ナットＮ１とボルトのねじ部との係合を確実に解除したうえで、簡易式ナットＮ１を回転させることなく抜き差しで行え、操作性の向上を図ることができ、ボルトのねじ部の摩耗を防止することができる。
したがって、このナットＮ１によると、ナットＮ１を脱着式にしたことで、ナットＮ１の取り付け個数が多い場合でも、ナットＮ１をボルトの所定位置まで締め付けたり、締め付けられたナットＮ１をボルトから取り外したりするのに、従来のような煩雑な手間がかからず、誰もがナットＮ１をボルトのねじ部に同じように締結することができ、ナットＮ１を締め忘れることもない。
【００２３】
また、このナットＮ１では、内筒２の軸挿通部２３が内筒２の両端間を貫通して形成され、ロック部材２８がナットＮ１の一端側に設けられているので、ナットＮ１をボルトに取り付ける場合に、短いボルトの場合は、ねじ部を一端の開口１１から軸挿通部２３内に収容して取り付け、長いボルトの場合は、ねじ部を一端の開口２１から軸挿通部２３に通し他端の開口２２から突き出して取り付けることができ、短いボルトでも長いボルトでも同様に使用することができる。
【００２４】
なお、この実施の形態では、外筒１は、両端に開口１１、１２を有する筒状の部材１０からなり、内周面の一端側に一端の開口１１に連続して全周の一部の断面形状を一端から他端方向に漸次拡大して形成されるテーパ形状部１３と、内周面の他端側の全周の一部にテーパ形状部１３の拡大された端部１３Ｅに連続して形成される拡張部１４とを有し、内筒２は、両端に開口２１、２２を有し、両端の開口２１、２２間にボルトのねじ部を挿通可能な軸挿通部２３を有する筒状の部材２０からなり、外周面の一端側に全周の一部を一端から他端方向に漸次拡大して形成され、外筒１のテーパ形状部１３に嵌合可能なテーパ部２４と、テーパ部２４の外周面と内周面との間に貫通して形成され、筒状の部材２０の軸方向に対して直交する方向に延びるロック孔２５、及びロック孔２５に嵌合され、一端にボルトのねじ部に係合可能な係止部２６を形成され、他端がテーパ部２４の外周面と同じ高さに表出されるロック部材２８とを有するものとしたが、外筒１は、両端に開口を有する筒状の部材からなり、内周面の一端側に一端の開口に連続して全周の断面形状を一端から他端方向に漸次拡大して形成されるテーパ形状部と、内周面の他端側の全周にテーパ形状部の拡大された端部に連続して形成される拡張部とを有し、内筒２は、両端に開口を有し、両端の開口間にボルトのねじ部を挿通可能な軸挿通部を有する筒状の部材からなり、外周面の一端側に全周を一端から他端方向に漸次拡大して形成され、外筒のテーパ形状部に嵌合可能なテーパ部と、テーパ部の外周面と内周面との間に貫通して形成され、筒状の部材の軸方向に対して直交する方向に延びるロック孔、及びロック孔に嵌合され、一端にボルトのねじ部に係合可能な係合部を形成され、他端がテーパ部の外周面と同じ高さに表出されるロック部材とを有するものとしてもよい。
このようにしても上記実施の形態と同様の作用効果を奏することができる。
また、この実施の形態では、ロック部材２８は一端に係合部２６としてボルトのねじ部に係合可能な係止部を有し、他端に外筒１のテーパ形状部１３の受け部２７を有する小プレートからなり、ロック孔２５が小プレートからなるロック部材２８を嵌合可能に、かつ小プレート一端の係止部２６が内筒２の内周面から突出可能に、小プレート他端の受け部が内筒２のテーパ部２４の外周面に表出可能に形成されて、ロック孔２５に嵌合装着されるものとしたが、ロック部材２８はボルトのねじ部に係合可能な小ボールからなり、ロック孔２５が小ボールからなるロック部材を嵌合可能に、かつ小ボールの球面の一部が一端の係合部として内筒の内周面から突出可能に、その反対側の球面の一部が他端として内筒のテーパ部の外周面に表出可能に形成されて、ロック孔に嵌合装着されるものとしてもよく（図５参照）、さらに、ロック部材２８は一端に係合部としてボルトのねじ部に係合可能な突起を有し、他端に外筒のテーパ形状部の受け部を有する小ピンからなり、ロック孔２５が小ピンからなるロック部材を嵌合可能に、かつ小ピン一端の突起が内筒の内周面から突出可能に、小ピン他端の受け部が内筒のテーパ部の外周面に表出可能に形成されて、ロック孔に嵌合装着されるようにしてもよい。
このようにしても上記実施の形態と同様の作用効果を奏することができる。
さらに、この実施の形態では、内筒２にロック孔２５、ロック部材２８が２つずつ設けられているが、内筒２にロック孔２５、ロック部材２８が３つずつ以上設けられてもよく、また、１つずつ設けられてもよい。
このようにしても上記実施の形態と同様の作用効果を奏することができる。
【００２５】
図４、図５に簡易式ナットの第２の実施の形態を示している。
図４、図５に示すように、この簡易式ナットＮ２（以下、単にナットＮ２という場合がある。）は、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にナットに代えて用いるもので、外筒１と、外筒１に挿通される内筒２と、外筒１内で外筒１と内筒２との間に介設されるばね部材３と、外筒１と内筒２との間に介装されるロック部材ロック機構４と、を備えて構成される。
【００２６】
外筒１は、両端に開口１１、１２を有する筒状の部材１０からなり、内周面の一端側に一端の開口１１に連続して全周又は全周の一部の断面形状を一端から他端方向に漸次拡大して形成されるテーパ形状部１３と、内周面の他端側の全周又は全周の一部にテーパ形状部１３の拡大された端部１３Ｅに連続して形成される拡張部１４を有する。
【００２７】
この外筒１の場合、全体が略円筒状に形成され、内周面の一端側に一端の開口１１に連続して全周の断面形状を一端から他端方向に漸次拡大して形成される。この場合、外筒１の内周面の一端側が一端から他端方向に漸次拡開形成されて、一端側の内周面全体がテーパ形状部１３となっている。なお、この場合、外周面１の一端側もまたテーパ状に形成したが、この外周面の一端側はこの外筒１の軸心と平行なストレート状のものであってもよい。
このように外筒１の内周面の一端側に一端の開口１１に連続して全周の断面形状を一端から他端方向に漸次拡大して形成されたことで、拡張部１４は外筒１の内周面の他端側の全周にテーパ形状部１３の拡大された端部１３Ｅに連続して形成される。この場合、外筒１の内周面の他端側がテーパ形状部１３に連続してストレート状に形成されて、他端側の内周面全体が円筒状の拡張部１４になっている。
また、この外筒１の場合、一端は開口され、他端は開口されてこの他端の開口１２内に中央に開口１５０を有する閉塞部材１５が嵌め込まれ、外筒１の外周面と閉塞部材１５との間にスプリングピン１６が挿着されて固定され、他端はこの閉塞部材１５の開口１５０により開口される。
【００２８】
内筒２は、両端に開口２１、２２を有し、両端の開口２１、２２間にボルトのねじ部を挿通可能な軸挿通部２３を有する筒状の部材２０からなり、外周面の一端側に全周を一端から他端方向に漸次拡大して形成され、外筒１のテーパ形状部１３に嵌合可能なテーパ部２４と、テーパ部２４の外周面と内周面との間に貫通して形成され、筒状の部材２０の軸方向に対して直交する方向に延びるロック孔２５、及びロック孔２５に嵌合され、一端にボルトのねじ部に係合可能な係合部２６を形成され、他端がテーパ部２４の外周面と同じ高さに表出されるロック部材２８とを有し、外筒１の両端の開口１１、１２間に挿通され、内筒２の両端が外筒１の両端の開口１１、１２から外方に突出される。
また、この内筒２においては、外筒１の他端の開口１２から突出される内筒２の他端に外側に向けて張り出される摘み２９を有し、ロック部材２８はボルトのねじ部に係合可能な小ボールからなり、ロック孔２５が小ボールからなるロック部材２８を嵌合可能に、かつ小ボールの球面の一部が一端の係合部２６として内筒２の内周面から突出可能に、その反対側の球面の一部が他端として内筒２のテーパ部２４の外周面に表出可能に形成されて、ロック孔２５に嵌合装着される。
【００２９】
この内筒２の場合、全体が略円筒状に形成され、外周面の一端側に全周の断面形状が一端から他端方向に漸次拡大して形成される。この場合、内筒２の外周面の一端に外筒１の内周面の一端開口１１に嵌合可能に円筒部２１１が設けられ、この円筒部２１１に連続して内筒２の外周面の一端側の全周に、外筒１の一端側のテーパ形状部１３に嵌合可能にテーパ部２４が設けられる。このテーパ部２４には軸方向中間で同一円周上に等間隔に３つのロック孔２５がテーパ部２４の外周面と内周面との間に貫通して形成される。この場合、ロック孔２５はそれぞれ、後述するロック部材２８の形状に合わせて球体を保持可能に形成される。
そして、これらのロック孔２５に装着される各ロック部材２８は同一の小ボールからなる。これらのロック部材２８は、内筒２の各ロック孔２５に、各小ボール球面の一部が一端の係合部２６として内筒２の内周面から突出可能に、その反対側の球面の一部が他端として内筒２のテーパ部２４の外周面と同じ高さに表出されて、嵌合装着される。
この内筒２の他端は外筒１の他端の開口１２から突出され、この他端に外側に向けて張り出される摘み２９を有する。この場合、摘み部２９は外筒１の他端面と略同じ大きさの円板状に形成される。
【００３０】
ばね部材３は、外筒１内で外筒１の他端と内筒２のテーパ部２４との間に介設され、常態として、内筒２を外筒１の一端方向に押圧して、内筒２の一端を外筒１の一端の開口１１から突出し、内筒２のテーパ部２４を外筒１のテーパ形状部１３に嵌合させてテーパ形状部１３でロック孔２５内のロック部材２８を押える。
【００３１】
この場合、ばね部材３は内筒２の他端側に巻装可能なコイルスプリング（以下、コイルスプリング３という。）で、コイルスプリング３が内筒２の他端側に巻き付けられて、一端が内筒２のテーパ部２４の他端面に係止され、他端が外筒１他端の閉塞部材１５の内面（開口１５０の周囲）に係止されて、外筒１内で内筒２のテーパ部２４の他端面と外筒１他端の閉塞部材１５との間に圧縮して配置される。
このようにしてコイルスプリング３は常態として、内筒２を外筒１の一端方向に押圧して、内筒２の一端の円筒部２１１（の先端部）を外筒１の一端の開口１１から突出し、内筒２の各テーパ部２４を外筒１の各テーパ形状部１３に圧接嵌合させて外筒１の各テーパ形状部１３で各ロック孔２５内の各ロック部材２８を押え保持する。
【００３２】
ロック部材ロック機構４は、外筒１、内筒２及びコイルスプリング３により構成されて、外筒１と内筒２との間に介装され、外筒１を内筒２の外周面上で内筒２の一端側に向けて押圧しスライドさせることにより、内筒２の一端が外筒１の一端の開口１１内に没入し、内筒２のテーパ部２４が外筒１のテーパ形状部１３の拡大された端部１３Ｅ側に相対移動されて、外筒１のテーパ形状部１３によるロック部材２８の押えを解除し、外筒１の押圧を解除することにより、外筒１がコイルスプリング３により内筒２の外周面上を元の位置に弾性復帰されて、外筒１のテーパ形状部１３でロック部材２８を押える構造になっている。
【００３３】
簡易式ナットＮ２はかかる構成からなり、このナットＮ２をボルトのねじ部に締結する際は、外筒１を摘んで持ち、内筒２の一端から軸挿通部２３にボルトのねじ部を挿入し、外筒１を内筒２の外周面上で内筒２の一端側に押圧してスライドさせながら、ボルトのねじ部上で外筒１とともに内筒２を送り、ボルトのねじ部上の任意の締結位置で、外筒１の押圧を解除することにより、ボルトのねじ部上で内筒２をロックし、このナットＮ２をボルトのねじ部から取り外す際は、外筒１を摘んで持ち、外筒１を内筒２の外周面上で内筒２の一端側に押すことにより、ボルトのねじ部上の内筒２のロックを解除し、この状態を保持した状態で、ボルトのねじ部から外筒１とともに内筒２を引き抜くようになっている。
【００３４】
図６に一方の部材に突設された被締め込み側のボルトを他方の部材に穿設されたボルト挿通孔に通し、当該ボルト挿通孔に通された被締め込み側のボルトに簡易式ナットを締結して、一方の部材に他方の部材を取り付けるボルト、簡易式ナットによる２部材間の取付構造を例示している。
図６において、一方の部材Ａ１から突設され、他方の部材Ａ２のボルト挿通孔０に通された被締め込み側のボルトＢに簡易式ナットＮ２を締結する場合、まず、簡易式ナットＮ２を外筒１を摘んで持ち、内筒２の一端から軸挿通部２３にボルトＢのねじ部ｂを挿入する。そして、外筒１を内筒２の外側で（コイルスプリング３の付勢力に抗して）内筒２の一端側に押圧してスライドさせながら、この簡易式ナットＮ２を２部材Ａ１、Ａ２に向けて押し込むと、これと同時に、内筒２の一端が外筒１の一端の開口１１内に没入し、内筒２のテーパ部２４が外筒１のテーパ形状部１３の一端から他端へ、つまり、拡大された端部１３Ｅ側に相対移動されて、外筒１の各テーパ形状部１３による各ロック部材２８の押えが解除されることにより、各ロック孔２５の各ロック部材２８のロックが解除され、内筒２の軸挿通部２３に挿入されたボルトＢのねじ部ｂは、各ロック部材２８を各ロック孔２５に押し戻しながら（つまり、各ロック孔２５の各ロック部材２８はボルトＢの各ねじ山に押される毎に、各ロック部材２８の一端はボルトＢの各ねじ山に乗り上げて、各ロック孔２５内に引込み、他端は内筒２の各ロック孔２５から内筒２のテーパ部２４の外周面上に突出して、各ロック孔２５の内周面側、外周面側で出没しながら）、内筒２の軸挿通部２３の奥まで円滑に挿通される。この場合、ロック部材２８が小ボールなので、ボルトＢのねじ部ｂは、内筒２の軸挿通部２３にするするっと円滑に入る。そして、このナットＮ２をボルトＢのねじ部ｂの任意の締結位置まで送ったところで、外筒１の押圧を解除すると、これと同時に、外筒１がコイルスプリング３により内筒２の外周面上を元の位置に弾性復帰されて、外筒１の各テーパ形状部１３で各ロック孔２５の各ロック部材２８が押えロックされる。これにより、内筒２の軸挿通部２３に通されたボルトＢのねじ部ｂは内筒２のテーパ部２４の同一円周上３箇所の各ロック孔２５の各ロック部材２８により不均等に干渉されて締め込まれる。かくして、簡易式ナットＮ２はボルトＢのねじ部ｂの任意の締結位置でロックされる。
また反対に、被締め込み側のボルトＢに締結された簡易式ナットＮ２を取り外す場合は、まず、簡易式ナットＮ２を外筒１を摘んで持ち、外筒１を内筒２の外側で（コイルスプリング３の付勢力に抗して）内筒２の一端側に押圧してスライドさせると、これと同時に、内筒２の一端が外筒１の一端の開口１１内に没入し、内筒２の各テーパ部２４が外筒１の各テーパ形状部１３の一端から他端へ、つまり、拡大された端部１３Ｅ側に相対移動されて、外筒１の各テーパ形状部１３による各ロック部材２８の押えが解除されることにより、各ロック孔２５の各ロック部材２８のロックが解除される。そして、この状態の外筒１を保持して、この場合、内筒２の一端側に押した外筒１と内筒２の他端の摘み２９を合せて摘んで、簡易式ナットＮ２をボルトＢのねじ部ｂから引き抜けばよい。このようにナットＮ２を取り外すときは、外筒１を押しスライドさせる、つまり、このワンアクションを入れるようにしたことで、ナットＮ２の脱落事故を防止することができる。
なお、被締め込み側のボルトＢに簡易式ナットＮ２を取り付ける場合でも、このナットＮ２を取り外す場合と同様に、あらかじめ外筒１を内筒２の外側で内筒２の一端側に押圧してスライドさせ、各ロック孔２５の各ロック部材２８のロックを解除して、これを保持した状態から、すなわち、内筒２の一端側に押した外筒１と内筒２の他端の摘み２９を合せて摘んだ状態にして、内筒２の軸挿通部２３にボルトＢのねじ部ｂを差し通すようにしてもよい。
【００３５】
また、このナットＮ２は、内筒２の他端開口２２から軸挿通部２３にボルトＢのねじ部ｂを挿入することもできる。この場合も、ナットＮ２を取り外す場合と同様に、あらかじめ外筒１を内筒２の外側で内筒２の一端側に押圧してスライドさせ、各ロック孔２５の各ロック部材２８のロックを解除して、これを保持した状態から、内筒２の軸挿通部２３に他端からボルトＢのねじ部ｂを差し通せばよい。
【００３６】
以上説明したように、この簡易式ナットＮ２によれば、このナットＮ２をボルトのねじ部に締結する際は、外筒１を摘んで持ち、内筒２の一端から軸挿通部２３にボルトのねじ部を挿入し、外筒１を内筒２の外周面上で内筒２の一端側に押圧してスライドさせながら、ボルトのねじ部上で外筒１とともに内筒２を送り、ボルトのねじ部上の任意の締結位置で、外筒１の押圧を解除することにより、ボルトのねじ部上で内筒２をロックし、このナットＮ２をボルトのねじ部から取り外す際は、外筒１を摘んで持ち、外筒１を内筒２の外周面上で内筒２の一端側に押すことにより、ボルトのねじ部上の内筒２のロックを解除し、この状態を保持した状態で、ボルトのねじ部から外筒１とともに内筒２を引き抜くようにしたので、簡易式ナットＮ２をボルトのねじ部に取り付けたりねじ部から取り外したりする作業を、簡易式ナットＮ２とボルトのねじ部との係合を確実に解除したうえで、簡易式ナットＮ２を回転させることなく抜き差しで行え、操作性の向上を図ることができ、ボルトのねじ部の摩耗を防止することができる。
したがって、このナットＮ２によると、ナットＮ２を脱着式にしたことで、ナットＮ２の取り付け個数が多い場合でも、ナットＮ２をボルトの所定位置まで締め付けたり、締め付けられたナットＮ２をボルトから取り外したりするのに、従来のような煩雑な手間がかからず、誰もがナットＮ２をボルトのねじ部に同じように締結することができ、ナットＮ２を締め忘れることもない。
【００３７】
また、このナットＮ２では、内筒２の軸挿通部２３が内筒２の両端間を貫通して形成され、ロック部材２８がナットＮ２の一端側に設けられているので、ナットＮ２をボルトに取り付ける場合に、短いボルトの場合は、ねじ部を一端の開口２１から軸挿通部２３内に収容して取り付け、長いボルトの場合は、ねじ部を一端の開口２１から軸挿通部２３に通し他端の開口２２から突き出すことで取り付けることができ、短いボルトでも長いボルトでも同様に使用することができる。
【００３８】
なお、この実施の形態では、外筒１は、両端に開口１１、１２を有する筒状の部材１０からなり、内周面の一端側に一端の開口１１に連続して全周の断面形状を一端から他端方向に漸次拡大して形成されるテーパ形状部１３と、内周面の他端側の全周にテーパ形状部１３の拡大された端部１３Ｅに連続して形成される拡張部１４とを有し、内筒２は、両端に開口２１、２２を有し、両端の開口２１、２２間にボルトのねじ部を挿通可能な軸挿通部２３を有する筒状の部材２０からなり、外周面の一端側に全周を一端から他端方向に漸次拡大して形成され、外筒１のテーパ形状部１３に嵌合可能なテーパ部２４と、テーパ部２４の外周面と内周面との間に貫通して形成され、筒状の部材２０の軸方向に対して直交する方向に延びるロック孔２５、及びロック孔２５に嵌合され、一端にボルトのねじ部に係合可能な係合部２６を形成され、他端がテーパ部２４の外周面と同じ高さに表出されるロック部材２８とを有するものとしたが、外筒１は、両端に開口を有する筒状の部材からなり、内周面の一端側に一端の開口に連続して全周の一部の断面形状を一端から他端方向に漸次拡大して形成されるテーパ形状部と、内周面の他端側の全周の一部にテーパ形状部の拡大された端部に連続して形成される拡張部とを有し、内筒２は、両端に開口を有し、両端の開口間にボルトのねじ部を挿通可能な軸挿通部を有する筒状の部材からなり、外周面の一端側に全周の一部を一端から他端方向に漸次拡大して形成され、外筒のテーパ形状部に嵌合可能なテーパ部と、テーパ部の外周面と内周面との間に貫通して形成され、筒状の部材の軸方向に対して直交する方向に延びるロック孔、及びロック孔に嵌合され、一端にボルトのねじ部に係合可能な係合部を形成され、他端がテーパ部の外周面と同じ高さに表出されるロック部材とを有するものとしてもよい（図１、図２参照）。
このようにしても上記実施の形態と同様の作用効果を奏することができる。
また、この実施の形態では、ロック部材２８はボルトのねじ部に係合可能な小ボールからなり、ロック孔２５が小ボールからなるロック部材２８を嵌合可能に、かつ小ボールの球面の一部が一端の係合部として内筒１の内周面から突出可能に、その反対側の球面の一部が他端として内筒２のテーパ部２４の外周面に表出可能に形成されて、ロック孔２５に嵌合装着されるものとしたが、ロック部材２８は一端に係合部としてボルトのねじ部に係合可能な係止部を有し、他端に外筒のテーパ形状部の受け部を有する小プレートからなり、ロック孔２５が小プレートからなるロック部材を嵌合可能に、かつ小プレート一端の係止部が内筒の内周面から突出可能に、小プレート他端の受け部が内筒のテーパ部の外周面に表出可能に形成されて、ロック孔に嵌合装着されるものとしてもよく（図１、図２参照）、さらに、ロック部材２８は一端に係合部としてボルトのねじ部に係合可能な突起を有し、他端に外筒のテーパ形状部の受け部を有する小ピンからなり、ロック孔２５が小ピンからなるロック部材を嵌合可能に、かつ小ピン一端の突起が内筒の内周面から突出可能に、小ピン他端の受け部が内筒のテーパ部の外周面に表出可能に形成されて、ロック孔２５に嵌合装着されるようにしてもよい。
このようにしても上記実施の形態と同様の作用効果を奏することができる。
さらに、この実施の形態では、内筒２にロック孔２５、ロック部材２８が３つずつ設けられているが、内筒２にロック孔２５、ロック部材２８がそれぞれ、４つ以上設けられてもよく、また、２つずつ又は１つずつ設けられてもよい。
このようにしても上記実施の形態と同様の作用効果を奏することができる。
【００３９】
図７に簡易式ファスナーの一実施の形態を示している。
図７に示すように、この簡易式ファスナーＦ（以下、単にファスナーＦという場合がある。）は、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にボルト、ナットに代えて用いるもので、簡易式ナットＮ２と、取付ピンＰとからなる。
【００４０】
簡易式ナットＮ２は既述のとおりである。
なお、この場合、ロック部材２８は後述する取付ピンＰの被係合部３０に係合可能な小ボールからなり、ロック孔２５が小ボールからなるロック部材２８を嵌合可能に、かつ小ボールの球面の一部が一端の係合部２６として内筒２の内周面から突出可能に、その反対側の球面の一部が他端として内筒２のテーパ部２４の外周面と同じ高さに表出可能に形成されて、ロック孔２５に嵌合装着される。
【００４１】
取付ピンＰは、簡易式ナットＮ２の内筒２の軸挿通部２３に挿通可能にピン状に形成され、その外周面に各ロック部材２８の係合部２６に係合可能な被係合部３０を有する。
この場合、取付ピンＰは内筒２の軸挿通部２３に挿通可能に所定の径、長さを有し、その外周面には所定の位置に被係合部３０としてロック部材２８の小ボールの球面の一部が嵌合可能に断面円弧状の凹部（以下、凹部３０という。）が形成される。
【００４２】
このようにして簡易式ファスナーＦは、取付ピンＰに簡易式ナットＮ２を取り付ける際は、外筒１を摘んで持ち、内筒２の一端から軸挿通部２３に取付ピンＰを挿入し、内筒２の外周面上で外筒１を内筒２の一端側に押圧してスライドさせながら、取付ピンＰ上で外筒１とともに内筒２を送り、取付ピンＰの凹部３０の位置で、外筒１の押圧を解除することにより、取付ピンＰ上で内筒２がロックされ、取付ピンＰから簡易式ナットＮ２を取り外す際は、外筒１を摘んで持ち、内筒２の外周面上で外筒１を内筒２の一端側に押すことにより、取付ピンＰ上で内筒２のロックが解除され、この状態を保持した状態で、取付ピンＰから外筒１とともに内筒２を引き抜くようになっている。
【００４３】
ここでは、特に図示していないが、この簡易式ファスナーＦを用いて、一方の部材と他方の部材を締結する場合も、一方の部材に穿設されたピン挿通孔に取付ピンＰを通し、この一方の部材から突設された取付ピンＰを他方の部材に穿設されたボルト挿通孔に通し、このボルト挿通孔に通された取付ピンＰに簡易式ナットＮ２を締結する。この場合、まず、簡易式ナットＮ２を外筒１を摘んで持ち、内筒２の一端から軸挿通部２３に取付ピンＰを挿入する。そして、外筒１を内筒２の外側で（コイルスプリング３の付勢力に抗して）内筒２の一端側に押圧してスライドさせながら、この簡易式ナットＮ２を２部材に向けて押し込むと、これと同時に、内筒２の一端が外筒１の一端の開口１１内に没入し、内筒２の各テーパ部２４が外筒１の各テーパ形状部１３の一端から他端へ、つまり、拡大された端部１３Ｅ側に相対移動されて、外筒１の各テーパ形状部１３による各ロック部材２８の押えが解除されることにより、各ロック孔２５の各ロック部材２８のロックが解除され、内筒２の軸挿通部２３に挿入された取付ピンＰは、各ロック部材２８を各ロック孔２５に押し戻しながら、内筒２の軸挿通部２３の奥まで円滑に挿通される。そして、このナットＮ２を取付ピンＰの凹部３０の位置まで送ったところで、外筒１の押圧を解除すると、これと同時に、外筒１がコイルスプリング３により内筒２の外周面上を元の位置に弾性復帰されて、外筒１の各テーパ形状部１３で各ロック孔２５の各ロック部材２８が押えロックされる。かくして、簡易式ナットＮ２は取付ピンＰの凹部３０の位置でロックされる。
また反対に、被締め込み側の取付ピンＰに固定された簡易式ナットＮ２を取り外す場合は、まず、簡易式ナットＮ２を外筒１を摘んで持ち、外筒１を内筒２の外側で（コイルスプリング３の付勢力に抗して）内筒２の一端側に押圧してスライドさせると、これと同時に、内筒２の一端が外筒１の一端の開口１１内に没入し、内筒２の各テーパ部２４が外筒１の各テーパ形状部１３の一端から他端へ、つまり、拡大された端部１３Ｅ側に相対移動されて、外筒１の各テーパ形状部１３による各ロック部材２８の押えが解除されることにより、各ロック孔２５の各ロック部材２８のロックが解除される。そして、この状態の外筒１を保持して、この場合、内筒２の一端側に押した外筒１と内筒２の他端の摘み２９を合せて摘んで、簡易式ナットＮ２を取付ピンＰから引き抜けばよい。このようにナットＮ２を取り外すときは、外筒１を押しスライドさせる、つまり、このワンアクションを入れるようにしたことで、ナットＮ２の脱落事故を防止することができる。
なお、取付ピンＰに簡易式ナットＮ２を取り付ける場合でも、このナットＮ２を取り外す場合と同様に、あらかじめ外筒１を内筒２の外側で内筒２の一端側に押圧してスライドさせ、各ロック孔２５の各ロック部材２８のロックを解除して、これを保持した状態から、内筒２の軸挿通部２３に取付ピンＰを差し通すようにしてもよい。
【００４４】
また、このナットＮ２は、内筒２の他端開口２２から軸挿通部２３に取付ピンＰを挿入することもできる。この場合も、ナットＮ２を取り外す場合と同様に、あらかじめ外筒１を内筒２の外側で内筒２の一端側に押圧してスライドさせ、各ロック孔２５の各ロック部材２８のロックを解除して、これを保持した状態から、内筒２の軸挿通部２３に他端から取付ピンを差し通せばよい。
【００４５】
以上説明したように、この簡易式ファスナーＦによれば、簡易式ナットＮ２を取付ピンＰに取り付けたり取り外したりする作業を、簡易式ナットＮ２と取付ピンＰとの係合を確実に解除したうえで、簡易式ナットＮ２を回転させることなく抜き差しで行え、操作性の向上を図ることができる。
したがって、簡易式ナットＮ２を用いた簡易式ファスナーＦによれば、一方の部材と他方の部材を簡易かつ確実に締結することができる。
【００４６】
なお、この実施の形態では、簡易式ナットＮ２のロック部材２８を小ボールとし、取付ピンＰの被係合部３０を凹部として例示したが、簡易式ナットＮ２のロック部材２８を一端に係止部を有する小プレートとした場合は、取付ピンＰの被係合部３０を小プレートの係止部が係合可能な鋸歯状（ギザギザ）に形成すればよく（図１、図２参照）、簡易式ナットＮ２のロック部材１７を一端に突起を有する小ピンとした場合は、取付ピンＰの被係合部３０を小ピンの突起が係合可能な溝とすればよい。
このようにしても上記実施の形態と同様の作用効果を奏する。
また、上記実施の形態では、簡易式ナットＮ２を取付ピンＰ上で送り、内筒２の各ロック部材２８と取付ピンＰの被係合部３０との係合位置に停止させるため、内筒２及び取付ピンＰの双方又は一方にストッパーが設けられてもよい。
このようにすることで、ナットＮ２を取付ピンＰの被係合部３０の位置に確実かつ簡単に送ることができる。
【符号の説明】
【００４７】
Ｎ１  簡易式ナット
１  外筒
１０  筒状の部材
１１  開口
１２  開口
１３  テーパ形状部
１３Ｅ  拡大された端部
１３１  凸状部
１３２  溝
１４  拡張部
１４１  凸状部
１４２  溝
１５  閉塞部材
１５０  開口
１６  スプリングピン
２  内筒
２０  筒状の部材
２１  開口
２２  開口
２３  軸挿通部
２４  テーパ部
２４１  凸状部
２４２  凸状部
２５  ロック孔
２５１  受け溝
２６  係合部（係止部）
２７  受け部
２８  ロック部材
２８１  張り出し部
２９  摘み
３  ばね部材（コイルスプリング）
４  ロック部材ロック機構
Ｎ２  簡易式ナット
１  外筒
１０  筒状の部材
１１  開口
１２  開口
１３  テーパ形状部
１３Ｅ  拡大された端部
１４  拡張部
１５  閉塞部材
１５０  開口
１６  スプリングピン
２  内筒
２０  筒状の部材
２１  開口
２１１  円筒部
２２  開口
２３  軸挿通部
２４  テーパ部
２５  ロック孔
２６  係合部
２８  ロック部材
２９  摘み
３  ばね部材（コイルスプリング）
４  ロック部材ロック機構
Ａ１  一方の部材
Ａ２  他方の部材
０  ボルト挿通孔
Ｂ  ボルト
ｂ  ねじ部
Ｆ  簡易式ファスナー
Ｎ２  簡易式ナット
Ｐ  取付ピン
３０  被係合部（凹部）
【図１】
2019183853.tif 000003
【図２】
2019183853.tif 000004
【図３】
2019183853.tif 000005
【図４】
2019183853.tif 000006
【図５】
2019183853.tif 000007
【図６】
2019183853.tif 000008
【図７】
2019183853.tif 000009